(57)【特許請求の範囲】
【請求項１】
作用片を進退させることによって作用片に所望の動作をなさせるスライダー機構であって、
箱体とこれを覆う蓋体とからなって内部に収納空間を形成するケースと、
前記作用片を有する作用板と、動作片を有しこの動作片が押圧されることによって該作用板に動作をなさせるための動作体とからなり、前記ケース内にてそれぞれ初期位置と動作位置との間を移動可能に配設された動作部と、
前記ケース内に配設された作用板と動作体とをそれぞれその動作位置側から初期位置側に向けて付勢する付勢部と、を備えてなり、
前記ケースには、前記作用板の移動方向に沿って延びて前記作用片を進退可能に突出させる長孔と、前記動作片をケースの外に突出させるための開口とが形成され、
前記箱体の内面には停止部を有するカム溝とガイドとが形成され、
前記蓋体には係止孔が形成され、
前記動作体には、作用板に係合する係合片と前記作用板に当接して該作用板をその初期位置側から動作位置側へ押圧する押圧片とがそれぞれ設けられるとともに、前記カム溝内に移動自在に係合する第１の突起とガイド内に移動自在に係合する第２の突起とが設けられ、
前記作用板には、その作用片が動作位置に前進した際前記蓋体の係止孔に係止する係止突起を有した係止片が、該作用板に対して弾性変形可能に設けられ、
前記カム溝は、前記動作片が押圧されて動作体が作用板を伴って前進し、動作位置側に移動した後、押圧力が解除されて前記付勢部による付勢力により該動作体が後退した際、前記第１の突起を停止部に係止させて動作体の後退を停止させることにより作用板の作用片を作用位置に停止させ、かつ、この状態から再度前記動作片が押圧された際、前記動作体の係合片によって前記係止片が弾性変形してその係止突起が係止孔から外れ、その状態から押圧力が解除されることにより、前記付勢部による付勢力によって動作体と作用板とが共に後退し、初期位置に復帰して作用板の作用片も初期位置に後退するように、前記第１の突起を案内する形状となっていることを特徴とするスライダー機構。
【請求項２】
前記動作体は前記係合片、押圧片、第１の突起、第２の突起を備えた動作本体と前記動作片とからなり、該動作片は動作本体に対して回動自在に取りつけられていることを特徴とする請求項１記載のスライダー機構。
【請求項３】
前記付勢部はその端部が二つの付勢片に割れてなる板ばねによって形成され、これら二つの付勢片が前記動作体および作用板をそれぞれ独立して付勢するよう配設されてなることを特徴とする請求項１又は２記載のスライダー機構。
【発明の詳細な説明】
【０００１】
【発明の属する技術分野】
本発明は、作用片を進退させることによって作用片に所望の動作、例えば各種のスイッチングや種々の部材の進退・出没といった動作をなさせるための、スライダー機構に関する。
【０００２】
【従来の技術】
近年、各種の電化製品や携帯電話等の通信機器などが提供されている。これら電化製品や通信機器などでは、その小型化や操作の容易化が要求されており、これに伴い、そのスイッチング機構や部材の動作機構などについても、ワンタッチで簡単に操作できるタイプのものが望まれている。
【０００３】
【発明が解決しようとする課題】
しかしながら、このようなスイッチングや動作をなす機構は従来より様々のものが提供されているものの、例えばボタンの押圧操作のみでスイッチのオン・オフ操作を可能にし、しかも電化製品や通信機器などにおいて動作をなす部材の動作を行わせることもできる機構は提供されていなかった。
【０００４】
本発明は前記事情に鑑みてなされたもので、その目的とするところは、スイッチング機構になるとともに各種部材の動作機構にもなり、しかもワンタッチの押圧操作を繰り返すことでこれらの操作を可能にする、スライダー機構を提供することにある。
【０００５】
【課題を解決するための手段】
本発明のスライダー機構では、作用片を進退させることによって作用片に所望の動作をなさせるものであって、
箱体とこれを覆う蓋体とからなって内部に収納空間を形成するケースと、
前記作用片を有する作用板と、動作片を有しこの動作片が押圧されることによって該作用板に動作をなさせるための動作体とからなり、前記ケース内にてそれぞれ初期位置と動作位置との間を移動可能に配設された動作部と、
前記ケース内に配設された作用板と動作体とをそれぞれその動作位置側から初期位置側に向けて付勢する付勢部と、を備えてなり、
前記ケースには、前記作用板の移動方向に沿って延びて前記作用片を進退可能に突出させる長孔と、前記動作片をケースの外に突出させるための開口とが形成され、
前記箱体の内面には停止部を有するカム溝とガイドとが形成され、
前記蓋体には係止孔が形成され、
前記動作体には、作用板に係合する係合片と前記作用板に当接して該作用板をその初期位置側から動作位置側へ押圧する押圧片とがそれぞれ設けられるとともに、前記カム溝内に移動自在に係合する第１の突起とガイド内に移動自在に係合する第２の突起とが設けられ、
前記作用板には、その作用片が動作位置に前進した際前記蓋体の係止孔に係止する係止突起を有した係止片が、該作用板に対して弾性変形可能に設けられ、
前記カム溝は、前記動作片が押圧されて動作体が作用板を伴って前進し、動作位置側に移動した後、押圧力が解除されて前記付勢部による付勢力により該動作体が後退した際、前記第１の突起を停止部に係止させて動作体の後退を停止させることにより作用板の作用片を作用位置に停止させ、かつ、この状態から再度前記動作片が押圧された際、前記動作体の係合片によって作用板が押圧されて動作し、前記係止片が弾性変形してその係止突起が係止孔から外れ、その状態から押圧力が解除されることにより、前記付勢部による付勢力によって動作体と作用板とが共に後退し、初期位置に復帰して作用板の作用片も初期位置に後退するように、前記第１の突起を案内する形状となっていることを前記課題の解決手段とした。
【０００６】
このスライダー機構によれば、動作片を押圧することによって動作体がその押圧片により作用板を伴って初期位置から前進する。そして、このようにして前進させ、動作体と作用板とが動作位置側に移動した後、動作片への押圧力を解除すると、前記付勢部による付勢力によって該動作体が後退し、前記カム溝の形状に案内されて第１の突起が停止部に係止する。これにより動作体の後退が停止し、作用板も停止してその作用片も動作位置に停止する。
【０００７】
また、この状態から再度前記動作片を押圧すれば、前記カム溝の形状に第１の突起が案内されて動作体が動作することにより、該動作体の係合片によって前記係止片が弾性変形してその係止突起が係止孔から外れる。そして、この状態のもとで前記動作片への押圧力を解除すれば、前記付勢部による付勢力によって動作体と作用板とが共に後退し、初期位置に復帰して作用板の作用片も初期位置に後退する。
したがって、動作片への押圧操作を単純に繰り返すことにより、作用片を初期位置から動作位置に前進させ、さらに動作位置から初期位置に後退させることが可能になる。
【０００８】
【発明の実施の形態】
以下、本発明を詳しく説明する。
図１は本発明のスライダー機構の一実施形態例を示す外観図、図２は図１に示したスライダー機構の分解斜視図、図３（ａ）、（ｂ）は同じく図１に示したスライダー機構の組み立てた状態における内部構成を示す側断面図であって、（ａ）は図１中の３ａ−３ａ線矢視断面図、（ｂ）は図１中の３ｂ−３ｂ線矢視断面図である。
【０００９】
図１、図２、図３（ａ）、（ｂ）において符号１はスライダー機構であり、このスライダー機構１は、作用片２を進退させることによってこの作用片２に所望の動作、例えば各種のスイッチングや種々の部材の進退・出没といった動作をなさせるためのものである。
【００１０】
スライダー機構１は、図２、図３（ａ）、（ｂ）に示すように箱体３とこれの開口側を覆う蓋体４とからなるケース５と、前記作用片２を有する作用板６と動作体７とからなる動作部８と、前記ケース５内に配設された作用板６と動作体７とをそれぞれその動作位置側から初期位置側に向けて付勢する付勢部９と、を備えてなるものである。
ケース５は、図２に示すように薄厚の直方体箱形状の箱体３を同じく薄厚の直方体箱形状の蓋体４で覆うことにより、内部に収納空間を形成した直方体形状のもので、この収納空間（図示略）に前記動作部８と付勢部９とを収納したものである。
【００１１】
このケース５には、図１に示すようにその一つの側板部の一方の側に該ケース５の長辺方向に沿って長孔１０が形成されている。この長孔１０は、前記作用板６の作用片２をケース５外に突出させ、その状態でこの作用片２を図１中矢印Ａで示すように長孔１０の長さ方向に進退させるためのものである。また、このケース５には、図２、図３（ａ）、（ｂ）に示すように前記長孔１０を形成した側板と隣合う側板に、前記動作体７に設けられた動作片１１をケース５の外に突出させるための開口１２が形成されている。
【００１２】
さらに、ケース５を構成する箱体３の内面には、前記長孔１０が形成された側の位置にカム溝１３が形成され、前記開口１２が形成された側にガイド１４が形成されている。カム溝１３は、長細いハートの外周形状に似た環状の溝であり、後述するように動作体７の第１の突起を係合させた状態でこれを案内するためのものである。また、ガイド１４は、ケース５の長辺方向に延びる長孔状あるいは溝状のもので（本例では長孔状）、後述するように動作体７の第２の突起を係合させた状態でこれを案内するためのものである。
また、ケース５を構成する蓋体４には、前記長孔１０が形成された側に矩形の開口形状を有する係止孔１５が形成されている。この係止孔１５は、後述する作用板６の係止突起を係止させるためのものである。
【００１３】
動作体７は、一方の側にその幅が漸次拡がる拡幅部１６を有した略矩形板状の動作本体１７と、前記開口１２から外に突出させられた細板状の前記動作片１１とからなるもので、動作片１１が押圧されることによって後述するように作用板６を動作させるためのものである。動作片１１は、動作本体１７の拡幅部１６側、すなわち後端側にて、図４に示すように動作本体１７、動作片１１にそれぞれ形成された孔（図示略）に止具１８の軸部分が挿通せしめられ、さらに該止具１８がかしめられたことにより、取り付けられたものである。そして、このような構成により動作片１１は、動作本体１７に対し前記止具１８を軸にして回動自在になっている。なお、この動作片１１には、その後端に化粧ボタン（図示せず）が取りつけられるようになっており、これによって動作片１１の押圧操作がより容易になり、また意匠的にも良好なものとなるようになっている。
【００１４】
動作本体１７には、図２、図３（ａ）、（ｂ）に示すようにケース５の長孔１０側の側縁、すなわち拡幅部１６側ではない側の側縁に前記作用板６の側縁と係合する係合片１９が形成されている。この係合片１９は、動作本体１７から延び出しさらに折り返して形成されたもので、図３（ａ）、（ｂ）に示すようにこの折り返した部分の内側に作用板６を挟持したものである。
【００１５】
また、動作本体１７には、その拡幅部１６側の端部、すなわち動作本体１７の後端縁に、前記作用板６の後端縁に当接して該作用板６を押圧する押圧片２０が形成されている。この押圧片２０は、拡幅部１６の端部から内側に９０°折曲してなるもので、作用板６をその初期位置から動作位置方向へ、すなわちケース５の開口１２が形成された側からその反対の側へのみ押圧するようになっている。なお、この押圧片２０には、前記動作片１１を干渉しないよう、該動作片１１が取りつけられた周辺において切欠２１が形成されており、前記動作片１１はこの切欠２１内を通るように配置されている。
【００１６】
また、動作本体１７の外面、すなわち前記箱体３の内面に対向する面には、前記カム溝１３に移動自在に係合する円柱状の第１の突起２２と前記ガイド１４に移動自在に係合する円柱状の第２の突起２３とが形成されている。第１の突起２２はカム溝１３に案内され、図３（ｂ）中に示したカム溝１３にて矢印Ｂで示すように一方通行で、該カム溝１３を周回するようになっている。また、第２の突起２３はガイド１４に案内され、図２中に示したガイド１４をその長さ方向に往復移動するようになっている。
【００１７】
作用板６には、その一方の側、すなわち先端側に前記作用片２が図２中上方に延びて形成されており、この作用片２が延びる方向と反対の側にはガイド片２４が形成されている。また、その後端側には前記動作本体１７と同様にその幅が漸次拡がる拡幅部２５が形成されており、この拡幅部２５には前記動作体７の止具１８に干渉しないように切欠２６が形成されている。さらに、この作用板６には、その内部がコ字状に切り欠かれたことにより係止片２７が形成されている。
【００１８】
この係止片２７は、作用板６全体が金属板あるいは硬質の合成樹脂板によって形成されていることにより、弾性変形可能に形成されたもので、その可動端となる先端部に前記動作体７と反対の側に突出する係止突起２８を形成したものである。係止突起２８は、図５に示すように係止片２７の面２９に対して直交して突出したもので、面２９と係止突起２８の内側の面とのなす角Θは、ほぼ９０°となっている。また、係止突起２８の下半部は、本実施形態例では下側に行くに連れて面２９側に漸次近づくような曲面となっている。なお、この係止突起２８は、作用板６に一体的に形成されたものでもよく、また別部材をかしめ等によって後付けしたものでもよい。また、この係止突起２８の高さについては、前記の動作本体１７の係合片１９の板厚より十分に高いものとされている。
【００１９】
このような構成により係止片２７は、後述するように前記作用片２が動作位置に前進した際、係止突起２８が前記蓋体４の係止孔１５に係止し、作用片２を初期位置に後退させる際、係止孔１５から外れるようになっている。
【００２０】
作用片２は、前述したように図１中矢印Ａで示す往復運動をすることによって所望の動作をなすもので、例えば本例のスライダー機構１をスイッチング機構として用いる場合には、この作用片２に電気接点（コネクター）が設けられ、初期位置では電気接点どうしが離れ、動作位置では電気接点どうしが接するような構成とされる。なお、いくつもの作用を必要とする場合には、作用片２のような片を作用板６に複数形成すればよい。
【００２１】
ガイド片２４は、図３（ｂ）に示すようにその下端がケース５の下側の側板近傍にまで延び、これによって作用板６がケース５内にて下方に極端に下がってしまうことなく、安定した姿勢を保持できるようになっている。なお、このガイド片２４の下端部は、前記拡幅部２５と反対の側が湾曲した形に切り取られており、これによって後述するように動作体７の係合片１９によって作用板６が押し下げられた際、ガイド片２４がケース５の下側の側板の内面に干渉することなく逃げるようになっている。
【００２２】
このような構成のもとに、作用板６は作用片２と拡幅部２５との間にて前記動作体７の係合片１９に挟持され、またその拡幅部２５の後端が動作本体１７の押圧片２０に当接せしめられており、これによって動作体７によってその動作が規制されるようになっている。
【００２３】
付勢部９は、図２に示したように本実施形態例では細板の両端部がそれぞれ元の板面に対し鋭角となるようにして同方向に折曲し、これら折曲した端部がそれぞれ二つの付勢片３０、３０に割れて、両端部のそれぞれが対向する付勢片３０、３０が対をなす板ばねとなったもので、箱体３にインサート成形され、あるいは図示しないカシメ等でケース５内の開口１２側に一体に配設されたものである。
【００２４】
そして、この付勢部９は、図３（ｂ）に示すように動作本体１７の拡幅部１６の上下の斜辺を一方の対をなす付勢片３０、３０で挟持し、これによって動作本体１７（動作体７）をケース５の開口１２側、すなわち動作位置側から初期位置側に向けて付勢するようになっている。また、同様に作用板６の拡幅部２５の上下の斜辺を他方の対をなす付勢片３０、３０で挟持し、これによって作用板６を動作位置側から初期位置側に向けて付勢するようになっている。このような構成により、付勢部９はその二対の付勢片３０…によって動作本体１７および作用板６をそれぞれ独立して付勢するようになっている。
なお、この付勢部９には、両端部に形成された付勢片３０と付勢片３０とをつなぐ中央の板部に、前記動作体７の動作片１１に干渉しないようにするための切欠３１が形成されている。
【００２５】
次に、このような構成のスライダー機構の動作を説明する。
まず、図１中実線で示すように作用片２が初期位置にあるときには、図６（ａ）に示すように第１の突起２２がカム溝１３のＰ位置、第２の突起２３がガイド１４のＰ位置にある。この初期状態から動作状態にするべく、図１中実線に示す動作片１１の後端を例えば指で押圧すると、動作片１１に押された動作本体１７は、図６（ｂ）に示すように第１の突起２２がカム溝１３のＱ位置、第２の突起２３がガイド１４のＱ位置に至り、これ以上前進できなくなる。そこで、動作片１１への押圧をやめると、動作体７は付勢部９の付勢力によって後退させられ、図６（ｃ）に示すように第１の突起２２がカム溝１３のＲ位置、すなわち停止部３２に係止し、これによってその後退を停止する。なお、第２の突起２３はガイド１４のＲ位置にてその移動を停止する。
【００２６】
このとき、作用板６は前述したように動作体７によってその動作が規制されているため、特に動作本体１７の押圧片２０によって押圧されることにより前進する。そして、第１の突起２２がＱ位置に至る途中で、図７（ａ）に示すように係止片２７の係止突起２８が係止孔１５内に入り込む。このような動作は、係止突起２８が係止孔１５に至る前には該係止突起２８がケース５（蓋体４）の内面に当接することによって係止片２７が弾性変形し、係止突起２８側（可動端側）が動作本体１７側に逃げていたのが、係止孔１５のある位置に至ることにより係止片２７が弾性復帰することによって起こる。
【００２７】
そして、動作体７が後退して第１の突起２２が停止部３２（Ｒ位置）に係止し、停止すると、作用板６も付勢部９によって後退させられ、図７（ａ）に示したように係止片２７の係止突起２８が係止孔１５に係止し、該作用板６もその移動（後退）を停止する。そして、これにより作用片２が図１中二点鎖線で示す動作位置に至って所望の動作、例えばスイッチ・オンをなす。
【００２８】
このようにして所望の動作を行わせた後、初期状態（例えばスイッチ・オフ）に戻したいときには、再度動作片１１を押圧する。すると、第１の突起２２は、カム溝１３の形状によって図２中矢印Ｂで示したごとくカム溝１３を一方通行で移動することから、動作体７は前進して図６（ｄ）に示すように第１の突起２２がカム溝１３のＳ位置に、また第２の突起２３がガイド１４のＳ位置に至る。このようにして第１の突起２２がＳ位置に至ると、これ以上前進できなくなることから、操作者は動作片１１の押圧をやめる。すると、動作体７は付勢部９の付勢力によって後退させられ、図６（ａ）に示したように第１の突起２２がカム溝１３のＰ位置に復帰してその後退を停止し、また第２の突起２３もガイド１４のＰ位置に復帰してその後退を停止し、これにより初期状態に戻る。
【００２９】
ここで、カム溝１３は、Ｒ位置（停止部３２）からＳ位置に至る間に下方に下がるようになっており、このため、動作本体１７はこの動作中に先端側（第１の突起２２側）が下方に振れるようになっている。したがって、この動作中に作用板６の先端側は、図７（ｂ）に示すように動作本体１７の係合片１９によって下方（矢印Ｃ方向）に押圧される。すると、本実施形態例では前述したように係止突起２８の下半部が曲面になっていることから、下方への押圧力を受けると係止孔１５の内壁面からの反力を受け、これにより係止突起２８は図７（ｂ）中矢印Ｄで示す方向に押圧され、結果的に係止片２７は再度弾性変形し、これにより係止突起２８は係止孔１５から外れる。
【００３０】
なお、第１の突起２２がＲ位置（停止部３２）からＳ位置に至る間に動作本体１７は下方に振れるものの、動作片１１は動作本体１７に回動自在に取りつけられているため、動作本体１１は動作本体１７の振れに対して一体に振れることがない。したがって、この動作片１１は動作本体１７の振れ動作を妨げないようになっている。
【００３１】
このようにして係止孔１５への係止突起２８の係止が解除されると、作用板６は動作体７と同様に付勢部９の付勢力によって後退させられ、初期状態に戻る。そして、このように作用板６が初期状態に戻ることにより、作用片２も図１中実線で示した初期位置に復帰し、所望の動作、例えばスイッチ・オフをなす。
なお、このような動作については、動作片１１の押圧を単純に行うことによって繰り返すことができるのはもちろんである。
【００３２】
このようなスライダー機構１にあっては、ワンタッチの押圧操作を繰り返すことで作用片２に所望の動作、例えば各種のスイッチングや種々の部材の進退・出没といった動作をなさせることができ、したがって家電製品や通信機器の部品として広範囲の用途を持つものとなる。
【００３３】
図８は、本発明のスライダー機構の変形例を示す図である。図８に示したスライダー機構が図１に示したスライダー機構１と異なるところは、動作部８の構造にある。すなわち、図８に示したスライダー機構の例では、作用板４０の先端側にケース５の内寸にほぼ等しい寸法を有した突出部４１が形成されており、これによって作用板４０はケース５内にて上下に振れず、したがってガタつきが防止されたものとなっている。
【００３４】
また、動作体７においてその係合片４２は、上に長く延び出しさらに長く折り返し、係止片２７の係止突起４３近傍にまで垂れて形成配置されたものとなっている。したがって、この係合片４２はその折曲した部分で作用板４０を直接押圧しないようになっている。
一方、係止突起４３は、図９に示すように図５に示したものとは逆に、その上半部が、上側に行くに連れて面２９側に漸次近づくような曲面となっている。
【００３５】
このような構成のもとに、動作部８を動作させると、特に図６（ｃ）に示した状態から図６（ｄ）に示したごとく動作片１１を押圧して動作本体１７の先端側を下方に振れさせた場合、係合片４２も図８中二点鎖線で示すように下方に振れる。すると、この係合片４２は係止突起４３近傍にまで垂れて形成配置されていたことから、下方に振れることによって係止突起４３の上面側に当接し、これを押圧する。
【００３６】
このとき、係止突起４３は前述したようにその上半部が曲面になっていることから、上からの押圧力を受けて係止突起４３自体は係止穴１５から外れる方向に押され、結果的に係止片２７は先の例と同様に再度弾性変形し、これにより係止突起４３は係止孔１５から外れる。
したがって、図８に示した例のスライダー機構にあっても、先の例のものと同様に、動作片１１の押圧を単純に繰り返すことにより、作用片２に所望の動作、例えばスイッチのオン・オフをなすことができる。
また、特にこの例のスライダー機構にあっては、作用板４０の振れを防止して作用片２自体の振れも防止することができる。
【００３７】
なお、前記実施形態例では、付勢部９を板ばねによって形成したが、本発明はこれに限定されることなく、コイルスプリングなどの公知の付勢部材によって付勢部９を構成してもよい。
また、動作片１１を動作本体１７に対して回動自在としたが、これらを一体に形成してもよく、その場合にはケース５の開口１２を広くし、動作片１１の振れに干渉しないようにすればよい。
【００３８】
また、図５に示した実施形態例では、係止片２７の係止突起２８の形状を、その下半部が曲面となるようにしたが、本発明はこれに限定されることなく、例えば係止突起２８についてはその下部形状を上部形状と同様として、全体を直方体状、あるいは円柱状などとしておき、係止孔１５の下側に位置する内壁面に傾斜あるいは曲率を設けて係止突起２８が下方への押圧力を受けた際、容易に係止が解除されて係止突起２８が係止孔１５から外れるような構造とすればよい。
【００３９】
【発明の効果】
以上説明したように本発明のスライダー機構は、ワンタッチの押圧操作を繰り返すことで作用片に所望の動作、例えば各種のスイッチングや種々の部材の進退・出没といった動作をなさせることができる。したがって、例えば作用片を電気接点（コネクター）とすることによって家電製品など各種の機器のスイッチ（スイッチング機構）とすることができ、また、カメラ設置型の携帯電話において作用片にＣＣＤカメラを固定しておくことにより、このカメラの出没機構とすることもできる。よって、本発明のスライダー機構は家電製品や通信機器の部品として広範囲の用途を持つものとなり、また、これらに用いられた場合にその操作性を高めることができる。
【図面の簡単な説明】
【図１】  本発明のスライダー機構の一実施形態例を示す外観図である。
【図２】  図１に示したスライダー機構の分解斜視図である。
【図３】  図１に示したスライダー機構の組み立てた状態における内部構成を示す側断面図であり、（ａ）は図１中の３ａ−３ａ線矢視断面図、（ｂ）は図１中の３ｂ−３ｂ線矢視断面図ある。
【図４】  動作本体への動作片の取りつけを説明するための要部側断面図である。
【図５】  係止片の係止突起の形状を説明するための要部斜視図である。
【図６】  （ａ）〜（ｄ）は動作体の動作を説明するための図であり、カム溝に係合する第１の突起の位置とガイドに係合する第２の突起の位置とを動作毎に示す説明図である。
【図７】  （ａ）、（ｂ）は係止片の係止突起が係止孔に係止している状態を説明するための図であり、（ａ）は図１中７ａ−７ａ線矢視図断面図であり、（ｂ）は図１中７ｂ−７ｂ線矢視図断面図である。
【図８】  本発明のスライダー機構の一実施形態例を示す図であり、スライダー機構の内部構成を示す要部側断面図である。
【図９】  係止片の係止突起の形状を説明するための要部斜視図である。
【符号の説明】
１  スライダー機構
２  作用片
３  箱体
４  蓋体
５  ケース
６，４０  作用板
７  動作体
８  動作部
９  付勢部
１０  長孔
１１  動作片
１２  開口
１３  カム溝
１４  ガイド
１５  係止孔
１７  動作本体
１９，４２  係合片
２０  押圧片
２２  第１の突起
２３  第２の突起
２７  係止片
２８，４３  係止突起
３２  停止部
【図１】
0004409032.tif 000002
【図２】
0004409032.tif 000003
【図３】
0004409032.tif 000004
【図４】
0004409032.tif 000005
【図５】
0004409032.tif 000006
【図６】
0004409032.tif 000007
【図７】
0004409032.tif 000008
【図８】
0004409032.tif 000009
【図９】
0004409032.tif 000010